(57)【特許請求の範囲】
【請求項１】
誘電体層および保護膜層で覆われた少なくとも１対以上の対を成す走査電極群と維持電極群を配した第一の絶縁基板と、前記走査電極群および維持電極群とに直交して少なくともデータ電極群を配した第二の絶縁基板とを対向配置して成るＡＣ型プラズマディスプレイパネルの駆動方法であって、
前記対を成す走査電極と維持電極に維持パルス電圧を交互に繰り返し印加することによって表示放電としての維持放電を行なわしめる維持放電動作において、
前記交互に繰り返し印加する維持パルス電圧を、走査電極又は維持電極の一方への印加の終了後０．３マイクロ秒以内に他方へ印加することを特徴とするＡＣ型プラズマディスプレイパネルの駆動方法。
【発明の詳細な説明】
【０００１】
【発明の属する技術分野】
本発明はテレビジョンおよびコンピュータ等の画像表示に用いるプラズマディスプレイパネルの駆動方法に関するものである。
【０００２】
【従来の技術】
従来例のＡＣ型プラズマディスプレイパネル（以下単にパネルと称する）の一部破断斜視図を図５に示す。図において、第１の絶縁基板１の下面に、誘電体層２と保護膜層３とで覆われた、走査電極ＳＣＮ1〜ＳＣＮNと維持電極ＳＵＳ1〜ＳＵＳNとの平行に配列された対が複数個設けられている。第一の絶縁基板１に対向する第二の絶縁基板６上には、データ電極Ｄ1〜ＤMが設けられている。隣接するデータ電極Ｄ1〜ＤMの間には、データ電極Ｄ1〜ＤMに平行に隔壁８が設けられている。データ電極Ｄ1〜ＤMの表面には蛍光体９（一部のみ図示）が設けられている。前記走査電極ＳＣＮ1〜ＳＣＮNおよび維持電極ＳＵＳ1〜ＳＵＳNと前記データ電極Ｄ1〜ＤMとが直交するように前記第一の絶縁基板１と第二の絶縁基板６とは放電空間１０を挟んで対向している。それぞれ対を成す走査電極ＳＣＮiと維持電極ＳＵＳi（iは１〜Ｎ及び１〜Ｍの中の任意の数）との間の維持放電により表示が行われる。
【０００３】
図６は、このパネルの電極配列図を示す。このパネルの電極配列は、図６に示すように、Ｍ列Ｎ行マトリックス構成である。列方向にＭ列のデータ電極Ｄ1〜ＤMが配列されており、行方向にＮ行の走査電極ＳＣＮ1〜ＳＣＮNおよび維持電極ＳＵＳ1〜ＳＵＳNが配列されている。
【０００４】
この従来のＡＣ型プラズマディスプレイパネルの駆動について以下に説明する。維持電極ＳＵＳ、走査電極ＳＣＮ及びデータ電極Ｄには図示を省略したそれぞれのパルス発生器の出力端子が接続されて、パルス電圧が印加される。各パルス発生器のグランド端子は共通に接続されており、維持電極ＳＵＳ、走査電極ＳＣＮ及びデータ電極Ｄには各パルス発生器の出力電圧の差の電圧が印加される。図７はその動作の駆動タイミング図を示す。図７において、先ず、書き込み期間に、全ての維持電極ＳＵＳ1〜ＳＵＳNを０（Ｖ）（Ｖはボルトを表す）に保持し、データ電極Ｄ1〜ＤMの中の所定のもの（以下所定のデータ電極Ｄ1〜ＤMと称する）に、正の書き込みパルス電圧＋ＶW（Ｖ）を印加し、第一番目の走査電極ＳＣＮ1に、負の走査パルス電圧−ＶS（Ｖ）を印加すると、所定のデータ電極Ｄ1〜ＤMと第一番目の走査電極ＳＣＮ1との交点部において書き込み放電が起こり、前記交点部の第一番目の走査電極ＳＣＮ1上の保護膜層３の表面に正電荷が蓄積される。次に、別の所定のデータ電極Ｄ1〜ＤMに正の書き込みパルス電圧＋Ｖｗ
（Ｖ）を印加し、第二番目の走査電極ＳＣＮ2に負の走査パルス電圧−ＶS（Ｖ）を印加すると、前記別の所定のデータ電極Ｄ1〜ＤMと第二番目の走査電極ＳＣＮ2との交点部において書き込み放電が起こり、前記交点部の前記第二番目の走査電極ＳＣＮ2上の保護膜層３の表面に正電荷が蓄積される。同様の走査駆動の動作を引き続き行い、最後に所定のデータ電極Ｄ1〜ＤMに正の書き込みパルス電圧＋ＶW（Ｖ）を印加し、第Ｎ番目の走査電極ＳＣＮNに負の走査パルス電圧−ＶS（Ｖ）を印加すると、前記所定のデータ電極Ｄ1〜ＤMと第Ｎ番目の走査電極ＳＣＮNとの交点部において書き込み放電が起こり、前記交点部の前記第Ｎ番目の走査電極ＳＣＮN上の保護膜層３の表面に正電荷が蓄積される。
【０００５】
次に維持期間において、先ず、全ての維持電極ＳＵＳ1〜ＳＵＳNに負の維持パルス電圧−Ｖｍ（Ｖ）を印加すると、書き込み放電を起こした前記交点部において、走査電極ＳＣＮ1〜ＳＣＮNと維持電極ＳＵＳ1〜ＳＵＳNとの間に維持放電が開始される。次に、維持電極ＳＵＳ1〜ＳＵＳNに印加した負の維持パルス電圧−Ｖｍ（Ｖ）の終了後から時間Ｔ後に全ての走査電極ＳＣＮ1〜ＳＣＮNに負の維持パルス電圧−Ｖｍ（Ｖ）を印加すると、書き込み放電を起こした前記交点部において、走査電極ＳＣＮ1〜ＳＣＮNと維持電極ＳＵＳ1〜ＳＵＳNとの間に再び維持放電が行われる。「パルス電圧の終了」とはパルス電圧の立上りがＯ（Ｖ）に達した時点を言う。さらに、前記走査電極ＳＣＮ1〜ＳＣＮNに印加した負の維持パルス電圧−Ｖｍ（Ｖ）の終了後から時間Ｔ後に、全ての維持電極ＳＵＳ1〜ＳＵＳNに負の維持パルス電圧−Ｖｍ（Ｖ）を印加すると、書き込み放電を起こした前記交点部において、走査電極ＳＣＮ1〜ＳＣＮNと維持電極ＳＵＳ1〜ＳＵＳNとの間に、さらに維持放電が行われる。同様にして全ての走査電極ＳＣＮ1〜ＳＣＮNと全ての維持電極ＳＵＳ1〜ＳＵＳNとに負の維持パルス電圧−Ｖｍ（Ｖ）を時間Ｔを置いて交互に印加することにより、維持放電が継続して行われる。この維持放電による発光を表示に用いる。負の維持パルス電圧−Ｖｍ（Ｖ）の波形は立ち上がり、立ち下がりに一定の時間がかかるので、詳細に示すと図８に示す台形の波形になっている。
【０００６】
最後に消去期間において、全ての維持電極ＳＵＳ1〜ＳＵＳNに負の短いパルス幅の細幅消去パルス電圧−Ｖｅ（Ｖ）を印加して、消去放電を起こさせて放電を停止させる。以上の動作によりＡＣ型プラズマディスプレイパネルの一画面が表示される。
【０００７】
このとき、走査電極ＳＣＮ1〜ＳＣＮNと維持電極ＳＵＳ1〜ＳＵＳNに交互に印加される維持パルス電圧において、走査電極又は維持電極の一方のものへの維持パルス電圧の印加が確実に終了してから他方のものへ維持パルス電圧の印加がなされるように、前記時間Ｔは通常０．５マイクロ秒以上に設定される。前記の従来例では時間Ｔは０．５マイクロ秒としていた。
【０００８】
【発明が解決しようとする課題】
しかし、上記の維持放電の動作において、時間Ｔの期間に、走査電極ＳＣＮ1〜ＳＣＮNと維持電極ＳＵＳ1〜ＳＵＳNとの間に表示に必要な維持放電が起こると同時に、データ電極Ｄ1〜ＤMと走査電極ＳＣＮ1〜ＳＣＮN、またはデータ電極Ｄ1〜ＤMと維持電極ＳＵＳ1〜ＳＵＳNとの間にも表示に寄与しない誤放電が起こっていることが判明した。このことは、維持期間にデータ電極Ｄ1〜ＤMに電流が流れていることから確認された。その結果、この誤放電により維持放電が弱められ、維持放電が停止したり不安定になるという問題があった。さらに、この誤放電によりデータ電極Ｄ1〜ＤMに電流が流れていることから、誤放電によるイオンが蛍光体に衝撃を与える。このため蛍光体の劣化が起こり維持放電の輝度が著しく低下するという問題があった。上記の２つの問題を解決するのが課題であった。
【０００９】
【課題を解決するための手段】
上記の課題を解決するために、本発明のＡＣ型プラズマディスプレイパネルの駆動方法は、誘電体層および保護膜層で覆われた少なくとも１対のそれぞれ対を成す走査電極群と維持電極群を配した第一の絶縁基板と、前記走査電極群および維持電極群と直行する少なくともデータ電極群を配した第二の絶縁基板とを対向配置して成るＡＣ型プラズマディスプレイパネルの駆動方法であって、
前記対を成す走査電極と維持電極に維持パルス電圧を交互に繰り返し印加することによって表示放電としての維持放電を行なわしめる維持放電動作において、
前記交互に繰り返し印加する維持パルス電圧を、走査電極又は維持電極の一方への印加の終了後０．３マイクロ秒以内に他方へ印加するように構成している。
走査電極及び維持電極に交互に印加される維持パルス電圧を、一方への印加の終了後０．３マイクロ秒以内に他方へ印加することにより、維持放電中にデータ電極を走査電極間又はデータ電極と維持電極間に誤放電が発生するのを防ぐことが出来る。
【００１０】
【発明の実施の形態】
《実施例》
本発明の駆動方法が適用されるＡＣ型プラズマディスプレイパネル（以下パネルと略称する）の構成は従来の技術の項で説明した図５に示すものと同じである。また、このパネルの電極配列は図６に示したものと同じである。したがって、パネルの構成及び電極配列についての重複する説明は省略する。
【００１１】
以下、本発明の実施例のＡＣ型プラズマディスプレイパネルの駆動方法について説明する。図１にその動作駆動タイミング図を示す。
【００１２】
図１において、先ず、書き込み期間に、全ての維持電極ＳＵＳ1〜ＳＵＳNを０（Ｖ）（Ｖはボルトを表す）に保持し、データ電極Ｄ1〜ＤMの所定のもの（以下所定のデータ電極Ｄ1〜ＤMと表示する）に正の書き込みパルス電圧＋ＶW（Ｖ）を印加するとともに、第一番目の走査電極ＳＣＮ1に負の走査パルス電圧−ＶS（Ｖ）を印加する。その結果前記所定のデータ電極Ｄ1〜ＤMと第一番目の走査電極ＳＣＮ1との交点部において書き込み放電が起こり、前記交点部の前記第一番目の走査電極ＳＣＮ1上の保護膜層３の表面に正電荷が蓄積される。次に、別の所定のデータ電極Ｄ1〜ＤMに正の書き込みパルス電圧＋Ｖｗ（Ｖ）を印加するとともに、第二番目の走査電極ＳＣＮ2に負の走査パルス電圧−ＶS（Ｖ）を印加すると、所定のデータ電極Ｄ1〜ＤMと第二番目の走査電極ＳＣＮ2との交点部において書き込み放電が起こり、前記交点部の前記第二番目の走査電極ＳＣＮ2上の保護膜層３の表面に正電荷が蓄積される。同様にして上記の走査駆動の動作を引き続いて行い、最後にさらに別の所定のデータ電極Ｄ1〜ＤMに正の書き込みパルス電圧＋ＶW（Ｖ）を印加するとともに、第Ｎ番目の走査電極ＳＣＮNに負の走査パルス電圧−ＶS（Ｖ）を印加すると、前記さらに別の所定のデータ電極Ｄ1〜ＤMと第Ｎ番目の走査電極ＳＣＮNとの交点部において書き込み放電が起こり、前記交点部の前記第Ｎ番目の走査電極ＳＣＮN上の保護膜層３の表面に正電荷が蓄積される。
【００１３】
次に維持期間において、先ず、全ての維持電極ＳＵＳ１〜ＳＵＳＮに負の維持パルス電圧−Ｖｍ（Ｖ）を印加すると、書き込み放電を起こした前記交点部において、走査電極ＳＣＮ１〜ＳＣＮＮと維持電極ＳＵＳ１〜ＳＵＳＮとの間に維持放電が開始される。維持電極ＳＵＳ１〜ＳＵＳＮに印加した負の維持パルス電圧−Ｖｍ（Ｖ）の印加終了後直ちに（例えば１００ナノ秒程度）全ての走査電極ＳＣＮ１〜ＳＣＮＮに負の維持パルス電圧−Ｖｍ（Ｖ）を印加すると、書き込み放電を起こした前記交点部において、走査電極ＳＣＮ１〜ＳＣＮＮと維持電極ＳＵＳ１〜ＳＵＳＮとの間に再び維持放電が行われる。上記の「印加終了後直ちに」の用語で表す時間長としては、例えば１００ナノ秒程度が適当である。この場合維持電極ＳＵＳ１〜ＳＵＳＮへの維持パルス電圧の印加終了の約１００ナノ秒後に走査電極ＳＣＮ１〜ＳＣＮＮに維持パルス電圧が印加される。前記の時間長を１００ナノ秒程度にすることにより充分な誤放電防止効果が得られる。さらに、走査電極ＳＣＮ１〜ＳＣＮＮに印加した負の維持パルス電圧−Ｖｍ（Ｖ）の印加終了後直ちに全ての維持電極ＳＵＳ１〜ＳＵＳＮに負の維持パルス電圧−Ｖｍ（Ｖ）を印加すると、書き込み放電を起こした前記交点部において、走査電極ＳＣＮ１〜ＳＣＮＮと維持電極ＳＵＳ１〜ＳＵＳＮとの間に再び維持放電が行われる。同様に、全ての走査電極ＳＣＮ１〜ＳＣＮＮと全ての維持電極ＳＵＳ１〜ＳＵＳＮとに負の維持パルス電圧−Ｖｍ（Ｖ）を交互に印加することにより、維持放電が継続して行われる。この維持放電による発光を表示に用いる。
【００１４】
続く消去期間において、全ての維持電極ＳＵＳ1〜ＳＵＳNに負の細幅消去パルス電圧−Ｖｅ（Ｖ）を印加して、消去放電を起こさせて放電を停止させる。以上の動作によりＡＣ型プラズマディスプレイパネルの一画面の表示動作が行われる。
【００１５】
このとき、走査電極ＳＣＮ１〜ＳＣＮＮと維持電極ＳＵＳ１〜ＳＵＳＭとに交互に印加される維持パルス電圧の一方への印加が終了した約１００ナノ秒後に他方への印加がなされる点が本発明の特徴である。なお、従来例の維持放電動作においては、維持パルス電圧の一方への印加が終了した後０．５μ秒後に他方への印加がなされている。本発明においては、前記のように印加することにより、維持放電が走査電極ＳＣＮ１〜ＳＣＮＮと維持電極ＳＵＳ１〜ＳＵＳＮとの間でのみ確実に起こり、データ電極Ｄ１〜ＤＭと走査電極ＳＣＮ１〜ＳＣＮＮの間または維持電極ＳＵＳ１〜ＳＵＳＮとの間に誤放電が起こらない。
【００１６】
発明者が実際のパネルの動作を観察した結果、維持パルス電圧の一方への印加が終了した後に他方への印加がなされるまでの時間Ｔと、誤放電との間に相関があることが分かった。これについて考察するために、図５において維持パルス電圧の印加時に走査電極ＳＣＮ2および維持電極ＳＵＳ2の上部の保護膜層３にそれぞれ蓄積される壁の電荷（以下、壁電荷と記す）による壁の電位（以下、壁電位と記す）を調べた。図２は、図５のII−II’断面図を示す。図２において走査電極ＳＣＮ2、維持電極ＳＵＮ2、データ電極Ｄ5の電位をそれぞれＶSCN、ＶSUS、ＶDATAとし、保護膜層３の走査電極４に対向する部分の壁電位をＶSSC保護膜層３の維持電極５に対向する部分の壁電位をＶSSUとしたとき、維持放電動作におけるこれらの電位変化を図３に示す。
【００１７】
維持パルス電圧の印加が開始される時刻ｔ1の直前において、 維持電極ＳＵＳ2の電位ＶSUSは０（Ｖ）、走査電極ＳＣＮ2の電位ＶSCNは０（Ｖ）であり、前記壁電位ＶSSCはＶ１（Ｖ）、ＶSSUはＶ２（Ｖ）である。時刻ｔ1からｔ2において、維持電極ＳＵＳ2の電位ＶSUSが０（Ｖ）から−Ｖｍ（Ｖ）に変化すると、壁電位ＶSSCはＶ１（Ｖ）のままであるが、壁電位ＶSSUは電位Ｖ２（Ｖ）から電位Ｖ４（Ｖ）に変化する。電位Ｖ４（Ｖ）は電位Ｖ２（Ｖ）より電位Ｖｍ（Ｖ）だけ低い。その結果、壁電位ＶSSCとＶSSUの電位差は（Ｖ１−Ｖ４）（Ｖ）という大きな値となり、放電開始電圧を越えるために、前記維持電極ＳＵＳ2と走査電極ＳＣＮ2との間で維持放電が起こる。同時に壁電位ＶSSCはＶ１（Ｖ）からＶ２（Ｖ）に変化し、壁電位ＶSSUはＶ４（Ｖ）からＶ３（Ｖ）に変化する。次に、時刻ｔ3からｔ4において、維持電極ＳＵＳ2の電位ＶSUSが−Ｖｍ（Ｖ）から０（Ｖ）に変化すると、壁電位ＶSSCはＶ２（Ｖ）のままであるが、壁電位ＶSSUがＶ３（Ｖ）からＶ１（Ｖ）に変化する。電位Ｖ１（Ｖ）は電位Ｖ３（Ｖ）より電位Ｖｍ（Ｖ）だけ高い。その後次の維持パルス電圧が走査電極ＳＣＮ2に印加されるまでの時間Ｔ（時刻ｔ4からｔ5）は壁電位ＶSSUは変化しない。
【００１８】
時刻ｔ5からｔ6において、走査電極ＳＣＮ2の電位ＶSCNが０（Ｖ）から−Ｖｍ（Ｖ）に変化すると、壁電位ＶSSUはＶ１（Ｖ）のままであるが、壁電位ＶSSCは電位Ｖ２（Ｖ）からＶ４（Ｖ）に変化する。電位Ｖ４（Ｖ）は電位Ｖ２（Ｖ）よりＶｍ（Ｖ）だけ低い。したがって、壁電位ＶSSCとＶSSUの差の電圧はＶ１（Ｖ）−Ｖ４（Ｖ）という大きな値となり、放電開始電圧を越えるために、前記維持電極ＳＵＳ2と走査電極ＳＣＮ2との間で維持放電が起こる。そのため壁電位ＶSSUはＶ１（Ｖ）からＶ２（Ｖ）に変化し、壁電位ＶSSCはＶ４（Ｖ）からＶ３（Ｖ）に変化する。次に、時刻ｔ7からｔ8において、走査電極ＳＣＮ2の電位ＶSCNが−Ｖｍ（Ｖ）から０（Ｖ）に変化すると、壁電位ＶSSUはＶ２（Ｖ）のままであるが、壁電位ＶSSCはＶ３（Ｖ）からＶ１（Ｖ）に変化する。電位Ｖ１（Ｖ）は電位Ｖ３（Ｖ）よりＶｍ（Ｖ）だけ高い。同様にして、その後維持電極ＳＵＳ2と走査電極ＳＣＮ2に交互にパルス電圧を印加することにより維持放電が継続し、壁電荷も同様に変化する。
【００１９】
しかし、維持パルス電圧の維持電極ＳＵＳ2への印加終了後、次の維持パルス電圧が走査電極ＳＣＮ2に印加されるまでの時間Ｔ（時刻ｔ4からｔ5）では、図に示すように、壁電位ＶSSUとデータ電極Ｄ5の電位ＶDATA間の電位差はかなり高く、維持電極ＳＵＳ2とデータ電極Ｄ5間の放電開始電圧を越える。そのため、維持電極ＳＵＳ2と走査電極ＳＣＮ2間の放電後の残留電荷が離れた位置で対向しているデータ電極Ｄ5付近に拡散する時間ｔ0後に、維持電極ＳＵＳ2とデータ電極Ｄ5間で本来の維持放電でない誤放電が起こる。図３中に破線で示したように、時刻ｔ4から時間Ｔ0後に壁電位ＶSSUがＶ１（Ｖ）からＶ５（Ｖ）に低下するため、その後の時刻ｔ6において、走査電極ＳＣＮ2に維持パルス電圧が印加されても、壁電位の差Ｖ５−Ｖ４（Ｖ）が前記の電位差Ｖ１−Ｖ４（Ｖ）より小さいため、放電が安定に継続せず維持放電が停止する場合がある。
【００２０】
以上の説明から、維持パルス電圧が維持電極ＳＵＳ2に印加された後、次の維持パルス電圧が走査電極ＳＣＮ2に印加されるまでの時間Ｔ（時刻ｔ4からｔ5）が維持電極ＳＵＳ2と走査電極ＳＣＮ2間の放電後の残留電荷がデータ電極Ｄ5付近に拡散する時間Ｔ0よりも短ければこのような誤放電は起こらないことが分かる。このことは維持パルス電圧が走査電極ＳＣＮ2に印加された後、次の維持パルス電圧が維持電極ＳＵＳ2に印加されるまでの時間Ｔにおいても成り立つ。また、誤放電が起こると、維持放電が停止したり不安定になると共に、誤放電中に発生するイオンが蛍光体９に衝撃を与えるため、蛍光体９の劣化が起こり維持放電の輝度が著しく低下することになる。
【００２１】
次に、維持パルス電圧の一方への印加終了後、次の維持パルス電圧が印加されるまでの時間Ｔと走査電極または維持電極とデータ電極間に起こる前記誤放電の放電確率Ｙについて、６４０×４８０画素の４２インチＡＣ型プラズマディスプレイパネルを用いて調べた。この関係を図４に示す。ここで、放電確率Ｙは、維持放電中に一本のデータ電極に流れる電流値が前記一本のデータ電極と交差する４８０の走査電極と維持電極の対との誤放電箇所の数と対応するものとして算出した。すなわち、誤放電箇所の数が比較的少ないｎ（個）の時にデータ電極に流れる電流値を測定しておき、それがｉ（Ａ）（Ａはアンペアを表す）であるとすると、前記データ電極に流れる電流値がＩ（Ａ）である時の放電確率ＹはＹ＝（ｎ／４８０）×（Ｉ／ｉ）として計算した。図４に示す結果から、維持パルス電圧の一方の印加終了後、次の維持パルス電圧が印加されるまでの時間Ｔが０．３μ秒以下である場合には前記誤放電が起こらない。
【００２２】
以上の説明から、パネルの維持放電動作においては、走査電極と維持電極に交互に印加される維持パルス電圧の一方への印加が終了後、他方へ０．３マイクロ秒以内に印加することにより誤放電が起こらない。その結果安定な維持放電が得られ、蛍光体の劣化による維持放電輝度の低下が生じない。
【００２３】
尚、以上の説明では維持パルス電圧が負のパルス電圧である場合について述べたが、正のパルス電圧を用いた駆動方法であっても本発明の範囲である。また、他の構成のＡＣ型プラズマディスプレイパネルにも同様に適用できるものである。
【００２４】
【発明の効果】
本発明のＡＣ型プラズマディスプレイパネルの駆動方法においては、走査電極と維持電極に交互に印加する維持パルス電圧の一方への印加の終了後、他方へ０．３マイクロ秒以内に印加することにより、維持放電中にデータ電極への誤放電が起こらず、安定した維持放電が行われるので、不灯によるちらつきの無い、安定な表示が得られる。また蛍光体がイオンによる衝撃を受けることがないので、維持放電の輝度が低下することの無いＡＣ型プラズマディスプレイパネルを実現することが出来る。
【図面の簡単な説明】
【図１】  本発明の実施例としてのＡＣ型プラズマディスプレイパネルの駆動方法を示す動作駆動タイミング図。
【図２】  図５のII−II’断面図。
【図３】  維持放電動作における壁電位の変化を示すタイミング図。
【図４】  誤放電の確率を示すグラフ。
【図５】  従来の技術と本発明に共通に用いられるＡＣ型プラズマディスプレイパネルの構成を示す部分破断斜視図。
【図６】  図５に示すＡＣ型プラズマディスプレイパネルの電極配置図。
【図７】  ＡＣ型プラズマディスプレイパネルの従来例の駆動方法を示す動作駆動タイミング図。
【図８】  従来の駆動方法における維持パルス電圧の波形図。
【符号の説明】
１  第一の絶縁基板
２  誘電体層
３  保護膜層
６  第二の絶縁基板
８  隔壁
９  蛍光体
１０  放電空間
ＳＣＮ1〜ＳＣＮN  走査電極
ＳＵＳ1〜ＳＵＳN  維持電極
Ｄ1〜ＤM  データ電極
【図１】
0003697338.tif 000002
【図２】
0003697338.tif 000003
【図３】
0003697338.tif 000004
【図４】
0003697338.tif 000005
【図５】
0003697338.tif 000006
【図６】
0003697338.tif 000007
【図７】
0003697338.tif 000008
【図８】
0003697338.tif 000009